(57)【要約】【課題】本発明は、経年変化によりマットレスにへたりが生じても、支持安定性及び体圧分散性を回復させる補強体及びその補強方法を提供することを目的とする。【解決手段】本発明に係るマットレス沈み込み補強体１６は、上面が複数の凹凸を有する発泡樹脂製の寝具用マットレス１０における凹部１５に挿入する補強体１６であって、当該補強体１６は発泡樹脂よりなり、その硬度がマットレス１０の凹部１５周りの発泡樹脂の硬度以上であり、マットレス上面に荷重が掛かった際のマットレスの沈み込みを抑制することを特徴とする。【選択図】  図４
2015167566.tif 000002
【特許請求の範囲】
【請求項１】
上面が複数の凹凸を有する発泡樹脂製の寝具用マットレスにおける凹部に挿入する補強体であって、
マットレス上面に荷重が掛かった際のマットレスの沈み込みを抑制する
ことを特徴とするマットレス沈み込み補強体。
【請求項２】
補強体は、発泡樹脂や３次元立体編地等の弾発力がある素材よりなる
ことを特徴とする請求項１に記載のマットレス沈み込み補強体。
【請求項３】
弾発力がある素材は、その硬度がマットレスの凹部周りの発泡樹脂の硬度以上である
ことを特徴とする請求項２に記載のマットレス沈み込み補強体。
【請求項４】
補強体は、マットレスの凹部の形状の少なくとも一部に相応する形状である
ことを特徴とする請求項１〜３のいずれか１項に記載のマットレス沈み込み補強体。
【請求項５】
上面が複数の凹凸を有する発泡樹脂製の寝具用マットレスにおける凹部に補強体を挿入することにより、
マットレス上面に荷重が掛かった際のマットレスの沈み込みを抑制する
ことを特徴とするマットレス沈み込み補強方法。
【請求項６】
補強体は、発泡樹脂や３次元立体編地等の弾発力がある素材よりなる
ことを特徴とする請求項５に記載のマットレス沈み込み補強方法。
【請求項７】
弾発力がある素材は、その硬度がマットレスの凹部周りの発泡樹脂の硬度以上である
ことを特徴とする請求項６に記載のマットレス沈み込み補強方法。
【請求項８】
補強体は、マットレスの凹部の形状の少なくとも一部に相応する形状である
ことを特徴とする請求項５〜７のいずれか１項に記載のマットレス沈み込み補強方法。
【発明の詳細な説明】
【技術分野】
【０００１】
本発明は、寝具用マットレスに関し、特にマットレスの沈み込み量を調整する方法に関する。
【背景技術】
【０００２】
従来のマットレスにおいて、その上面に凹凸を形成して体圧分散できるようにしたものが使用されている。また、体型に合わせてクッション性の度合い、すなわち硬軟を変化させて支持安定性を考慮した種々の積層マットが開発されている。
【発明の概要】
【発明が解決しようとする課題】
【０００３】
しかしながら、従来のマットレスは、全て完成品として上記の性能を有するように製造されている。したがって、経年変化により、マットレスを構成する発泡樹脂にへたりが生じて、支持安定性及び体圧分散性が低下しても、その対策は講じられておらず、買い直すことがほとんどであるのが実情であった。
【０００４】
そこで、本発明者は、鋭意研究を重ね、経年変化によりマットレスにへたりが生じても、支持安定性及び体圧分散性を回復させる補強体及びその補強方法を開発した。
【課題を解決するための手段】
【０００５】
本発明の請求項１に係るマットレス沈み込み補強体は、上面が複数の凹凸を有する発泡樹脂製の寝具用マットレスにおける凹部に挿入する補強体であって、マットレス上面に荷重が掛かった際のマットレスの沈み込みを抑制することを特徴とする。
【０００６】
本発明の請求項２に係るマットレス沈み込み補強体は、上記請求項１に記載の構成に加え、補強体は、発泡樹脂や３次元立体編地等の弾発力がある素材よりなることを特徴とする。
【０００７】
本発明の請求項３に係るマットレス沈み込み補強体は、上記請求項２に記載の構成に加え、弾発力がある素材は、その硬度がマットレスの凹部周りの発泡樹脂の硬度以上であることを特徴とする。
【０００８】
本発明の請求項４に係るマットレス沈み込み補強体は、上記請求項１〜３のいずれか１項に記載の構成に加え、補強体は、マットレスの凹部の形状の少なくとも一部に相応する形状であることを特徴とする。
【０００９】
本発明の請求項５に係るマットレス沈み込み補強方法は、上面が複数の凹凸を有する発泡樹脂製の寝具用マットレスにおける凹部に補強体を挿入することにより、マットレス上面に荷重が掛かった際のマットレスの沈み込みを抑制することを特徴とする。
【００１０】
本発明の請求項６に係るマットレス沈み込み補強方法は、請求項５に記載の構成に加え、補強体は、発泡樹脂や３次元立体編地等の弾発力がある素材よりなることを特徴とする。
【００１１】
本発明の請求項７に係るマットレス沈み込み補強方法は、請求項６に記載の構成に加え、弾発力がある素材は、その硬度がマットレスの凹部周りの発泡樹脂の硬度以上であることを特徴とする。
【００１２】
本発明の請求項８に係るマットレス沈み込み補強方法は、請求項５〜７のいずれか１項に記載の構成に加え、補強体は、マットレスの凹部の形状の少なくとも一部に相応することを特徴とする。
【発明の効果】
【００１３】
上記のように補強体を構成したことにより、経年変化によりマットレスにへたりが生じても、支持安定性及び体圧分散性を容易に回復させることができ、長年にわたって快適に使用することが可能となる。
【図面の簡単な説明】
【００１４】
【図１】本発明の実施例１に係るマットレスの概略斜視図である。
【図２】本発明の実施例１に係るマットレスの部分拡大断面斜視図である。
【図３】本発明の実施例１に係るマットレスと補強体とを表す概略部分斜視図である。
【図４】本発明の実施例１に係るマットレスに補強体を挿入した状態を示す部分拡大断面斜視図である。
【図５】本発明の実施例２に係るマットレスの概略斜視図である。
【図６】本発明の実施例２に係るマットレスの部分拡大斜視図である。
【図７】図６のＰ−Ｐ線断面図である。
【図８】図６のＳ−Ｓ線断面図である。
【図９】本発明の実施例２に係るマットレスと補強体とを表す部分拡大斜視図である。
【図１０】本発明の実施例２に係るマットレスに補強体を挿入した状態を示す部分拡大斜視図である。
【発明を実施するための形態】
【００１５】
以下、本発明に係るマットレス沈み込み補強体及びマットレス沈み込み補強方法について、添付の図面に基づき詳細に説明する。
【実施例１】
【００１６】
図１に示すマットレス１０は、所定幅、所定長さ及び所定厚み（高さ）のマットレス基体１１上に複数の凹凸を有する発泡樹脂製の寝具用のマットレスである。前記の複数の凹凸は、高さ方向中途位置にくびれ部１２を有する凸部１３を、マットレス基体１１上の縦横に配置することにより形成したものである。通常、このマットレス１０は、側地やカバーなどを被覆することにより寝具として使用される。
【００１７】
すなわち、図２に示すように上記くびれ部１２を有する凸部１３は、縦２個横２個の４個一組の凸部群を構成しており、その凸部群内の４個の凸部１３を区画する箇所には浅い凹部１４が形成され、４個一組の凸部群に隣接する他の４個一組の凸部群とを区画する箇所にはマットレス基体１１にまで及ぶ深い凹部１５が形成されていて、マットレス上面全体の凹凸を形成している。
【００１８】
なお、マットレス上には、各辺に平行する浅い凹部１４が複数本形成されて格子状をなすが、マットレス周縁の最外部は、図１に示すように、浅い凹部の形成を敢えて省略して平面視が長方形状の凸部としている。その理由は、最外部に浅い凹部を形成した場合には、その浅い凹部の外側の最外部に正方形状の凸部が形成されることになり、この正方形状の凸部は、これに外方への荷重が掛かると支持するものがなく、外側へ倒れてしまい、この現象によりマットレス上面の支持力が周縁部において低下してしまうので、この支持力低下を防ぐためである。
【００１９】
また、図３に示すように、マットレス１０には、その上面の凹凸の凹部に挿入するための補強体１６が用意されている。この補強体１６は、好ましくは、マットレス１０における浅い凹部１４の下端から深い凹部１５の下端に至るまでの凹部形状に相応する形状をなすものである。すなわち、縦長幅狭楕円形の下半分の形状をなす。この補強体１６は、好ましくは、その硬度がマットレスの浅い凹部１４の下端から深い凹部１５の下端に至るまでの凹部形状の周りの発泡樹脂の硬度以上の発泡樹脂より構成される。なお、前記補強体１６は、マットレス１０における凹部形状に相応する形状をなすものに限るものではなく、また、その硬度がマットレスの凹部形状の周りの発泡樹脂の硬度以上でなくてもよく、さらに、発泡樹脂でなくてもよい。例えば、３次元立体編地等の弾発力がある素材を使用することが可能である。
【００２０】
そして、図４に示すように、マットレス１０における４個一組の凸部群を区画する深い凹部１５に補強体１６を挿入することにより、補強体１６は凸部１３が過度に沈み込んだり、倒れ込んだりするのを抑制する機能を果たす。
【００２１】
したがって、マットレス１０の経年変化により、凸部の高さは変化しないけれどもマットレスを構成する発泡樹脂の弾発力が低下して、少しの荷重で深く沈み込んだり倒れ込んだりするようになった場合に、前記の補強体１６を挿入すれば、低下したマットレスの弾発力を補強することが可能となる。
【実施例２】
【００２２】
図５に示すマットレス２０は、所定幅、所定長さ及び所定厚み（高さ）のマットレス基体２１上に、一般にプロファイル加工と呼ばれる複数の凹凸２２を有する発泡樹脂製の寝具用のマットレスである。前記の複数の凹凸２２は、長さ方向に配列された凸部列２２ａと幅方向に配列された凸部列２２ｂとから構成され、図６に示すように、これら長さ方向に隣り合う凸部列（Ａ，Ｂ）（Ｃ，Ｄ）及び幅方向に隣り合う凸部（Ａ，Ｃ）（Ｂ，Ｄ）は、その各凸部の頂点ａ１，ｂ１，ｃ１，ｄ１が四角形、例えば好ましくは正方形又は菱形の頂点となるように配置される。そして、当該四角形の中央部には深い凹部Ｅが形成され、当該四角形を結ぶ各辺には浅い凹部Ｆが形成される。図７は深い凹部Ｅを示す断面図であり、図８は浅い凹部Ｆに示すを示す断面図である。
【００２３】
また、図９に示すように、上記マットレス２０には、その上面の凹凸の凹部に挿入するための補強体２６が用意されている。この補強体２６は、マットレス２０における浅い凹部Ｆを基準にして、浅い凹部Ｆの下端よりやや上方で一定範囲の凸部列２２ａ，２２ｂの凸部を水平に切除した角錐台が嵌まり込む形状（ほぼ四角形）の貫通穴２６ａを形成した平板状のものである。この補強体２６は、その硬度がマットレスの浅い凹部Ｆの下端から深い凹部Ｅの下端に至るまでの凹部形状の周りの発泡樹脂の硬度以上の発泡樹脂より構成される。なお、前記補強体２６は、マットレス２０における凹部形状に相応する形状をなすものに限るものではなく、また、その硬度がマットレスの凹部形状の周りの発泡樹脂の硬度以上でなくてもよく、さらに、発泡樹脂でなくてもよい。例えば、３次元立体編地等の弾発力がある素材を使用することが可能である。
【００２４】
そして、図１０に示すように、マットレス２０における浅い凹部Ｅに補強体２６を挿入することにより、補強体２６は凸部列２２ａ，２２ｂが過度に沈み込んだり、倒れ込んだりするのを抑制する機能を果たす。
【００２５】
したがって、マットレス１０の経年変化により、凸部の高さは変化しないけれどもマットレスを構成する発泡樹脂の弾発力が低下して、少しの荷重で深く沈み込んだり倒れ込んだりするようになった場合に、前記の補強体１６を挿入すれば、低下したマットレスの弾発力を補強することが可能となる。
【００２６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２７】
１０・・マットレス
１１・・マットレス基体
１２・・凸部のくびれ部
１３・・凸部
１４・・浅い凹部
１５・・深い凹部
１６・・補強体
２０・・マットレス
２１・・マットレス基体
２２・・凹凸
２２ａ・長さ方向の凸部列（Ａに対してＢ）（Ｃに対してＤ）
２２ｂ・幅方向の凸部列（Ａに対してＣ）（Ｂに対してＤ）
ａ１，ｂ１，ｃ１，ｄ１・・各凸部の頂点（四角形の頂点）
Ｅ・・・深い凹部
Ｆ・・・浅い凹部
２６・・補強体
２６ａ・補強体の貫通穴
【図１】
2015167566.tif 000003
【図２】
2015167566.tif 000004
【図３】
2015167566.tif 000005
【図４】
2015167566.tif 000006
【図５】
2015167566.tif 000007
【図６】
2015167566.tif 000008
【図７】
2015167566.tif 000009
【図８】
2015167566.tif 000010
【図９】
2015167566.tif 000011
【図１０】
2015167566.tif 000012
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
上面が複数の凹凸を有する発泡樹脂製の寝具用マットレスにおける凹部に挿入する補強体であって、
当該補強体は、弾発力がある素材よりなり、これをマットレスの凹部に挿入したときに、マットレス上面の凸部の高さと同一又はそれより低くなる厚みであり、
マットレス上面に荷重が掛かった際のマットレスの沈み込みを抑制する
ことを特徴とするマットレス沈み込み補強体。
【請求項２】
弾発力がある素材は、発泡樹脂又は３次元立体編地である
ことを特徴とする請求項１に記載のマットレス沈み込み補強体。
【請求項３】
弾発力がある素材は、その硬度がマットレスの凹部周りの発泡樹脂の硬度以上である
ことを特徴とする請求項１又は２に記載のマットレス沈み込み補強体。
【請求項４】
補強体は、マットレスの凹部の形状の少なくとも一部に相応する形状である
ことを特徴とする請求項１〜３のいずれか１項に記載のマットレス沈み込み補強体。
【請求項５】
上面が複数の凹凸を有する発泡樹脂製の寝具用マットレスにおける凹部に補強体を挿入し、
当該補強体は、弾発力がある素材よりなり、これをマットレスの凹部に挿入したときに、マットレス上面の凸部の高さと同一又はそれより低くなる厚みとすることにより、
マットレス上面に荷重が掛かった際のマットレスの沈み込みを抑制する
ことを特徴とするマットレス沈み込み補強方法。
【請求項６】
弾発力がある素材は、発泡樹脂又は３次元立体編地である
ことを特徴とする請求項５に記載のマットレス沈み込み補強方法。
【請求項７】
弾発力がある素材は、その硬度がマットレスの凹部周りの発泡樹脂の硬度以上である
ことを特徴とする請求項５又は６に記載のマットレス沈み込み補強方法。
【請求項８】
補強体は、マットレスの凹部の形状の少なくとも一部に相応する形状である
ことを特徴とする請求項５〜７のいずれか１項に記載のマットレス沈み込み補強方法。
【手続補正２】
【補正対象書類名】明細書
【補正対象項目名】０００５
【補正方法】変更
【補正の内容】
【０００５】
本発明の請求項１に係るマットレス沈み込み補強体は、上面が複数の凹凸を有する発泡樹脂製の寝具用マットレスにおける凹部に挿入する補強体であって、当該補強体は、弾発力がある素材よりなり、これをマットレスの凹部に挿入したときに、マットレス上面の凸部の高さと同一又はそれより低くなる厚みであり、マットレス上面に荷重が掛かった際のマットレスの沈み込みを抑制することを特徴とする。
【手続補正３】
【補正対象書類名】明細書
【補正対象項目名】０００６
【補正方法】変更
【補正の内容】
【０００６】
本発明の請求項２に係るマットレス沈み込み補強体は、上記請求項１に記載の構成に加え、弾発力がある素材は、発泡樹脂又は３次元立体編地であることを特徴とする。
【手続補正４】
【補正対象書類名】明細書
【補正対象項目名】０００７
【補正方法】変更
【補正の内容】
【０００７】
本発明の請求項３に係るマットレス沈み込み補強体は、上記請求項１又は２に記載の構成に加え、弾発力がある素材は、その硬度がマットレスの凹部周りの発泡樹脂の硬度以上であることを特徴とする。
【手続補正５】
【補正対象書類名】明細書
【補正対象項目名】０００９
【補正方法】変更
【補正の内容】
【０００９】
本発明の請求項５に係るマットレス沈み込み補強方法は、上面が複数の凹凸を有する発泡樹脂製の寝具用マットレスにおける凹部に補強体を挿入し、当該補強体は、弾発力がある素材よりなり、これをマットレスの凹部に挿入したときに、マットレス上面の凸部の高さと同一又はそれより低くなる厚みとすることにより、マットレス上面に荷重が掛かった際のマットレスの沈み込みを抑制することを特徴とする。
【手続補正６】
【補正対象書類名】明細書
【補正対象項目名】００１０
【補正方法】変更
【補正の内容】
【００１０】
本発明の請求項６に係るマットレス沈み込み補強方法は、請求項５に記載の構成に加え、弾発力がある素材は、発泡樹脂又は３次元立体編地であることを特徴とする。
【手続補正７】
【補正対象書類名】明細書
【補正対象項目名】００１１
【補正方法】変更
【補正の内容】
【００１１】
本発明の請求項７に係るマットレス沈み込み補強方法は、請求項５又は６に記載の構成に加え、弾発力がある素材は、その硬度がマットレスの凹部周りの発泡樹脂の硬度以上であることを特徴とする。
【手続補正書】
【提出日】平成27年1月15日(2015.1.15)
【手続補正１】
【補正対象書類名】特許請求の範囲
【補正対象項目名】請求項１
【補正方法】変更
【補正の内容】
【請求項１】
上面が複数の凹凸を有する発泡樹脂製の寝具用マットレスにおける凹部に挿入する補強体であって、
当該補強体は、弾発力がある素材よりなり、これをマットレスの凹部に挿入したときに、マットレス上面の凸部の高さより低くなる厚みであり、
マットレス上面に荷重が掛かった際のマットレスの沈み込みを抑制する
ことを特徴とするマットレス沈み込み補強体。
【手続補正２】
【補正対象書類名】特許請求の範囲
【補正対象項目名】請求項５
【補正方法】変更
【補正の内容】
【請求項５】
上面が複数の凹凸を有する発泡樹脂製の寝具用マットレスにおける凹部に補強体を挿入し、
当該補強体は、弾発力がある素材よりなり、これをマットレスの凹部に挿入したときに、マットレス上面の凸部の高さより低くなる厚みとすることにより、
マットレス上面に荷重が掛かった際のマットレスの沈み込みを抑制する
ことを特徴とするマットレス沈み込み補強方法。
【手続補正３】
【補正対象書類名】明細書
【補正対象項目名】０００５
【補正方法】変更
【補正の内容】
【０００５】
本発明の請求項１に係るマットレス沈み込み補強体は、上面が複数の凹凸を有する発泡樹脂製の寝具用マットレスにおける凹部に挿入する補強体であって、当該補強体は、弾発力がある素材よりなり、これをマットレスの凹部に挿入したときに、マットレス上面の凸部の高さより低くなる厚みであり、マットレス上面に荷重が掛かった際のマットレスの沈み込みを抑制することを特徴とする。
【手続補正４】
【補正対象書類名】明細書
【補正対象項目名】０００９
【補正方法】変更
【補正の内容】
【０００９】
本発明の請求項５に係るマットレス沈み込み補強方法は、上面が複数の凹凸を有する発泡樹脂製の寝具用マットレスにおける凹部に補強体を挿入し、当該補強体は、弾発力がある素材よりなり、これをマットレスの凹部に挿入したときに、マットレス上面の凸部の高さより低くなる厚みとすることにより、マットレス上面に荷重が掛かった際のマットレスの沈み込みを抑制することを特徴とする。